(57)【要約】【課題】  軒樋を一定の角度でもって斜めに切断する際に容易かつ高精度な切断を可能とする軒樋切断治具を提供すること。【解決手段】  軒樋切断治具１は、コーナー角度θの屋根のコーナー部において２つの軒樋２０ａ，２０ｂをその切断面２１同士が当接した状態でコーナー角度θと略同一の交差角度φでもって互いに交差させて接続させるための軒樋６の切断に用いられ、軒樋６に外側から挟着するように、底壁２と底壁２から起立する前側壁３及び後側壁４との内周面５が軒樋６の外周面７に沿って形成されるとともに、底壁２、前側壁３及び後側壁４の両端部外周縁には軒樋６の切断線に沿って切断具を案内するフランジ部１０ａ，１０ｂが設けられ、前側壁３の内面１２に対して、フランジ部１０ａ，１０ｂの端面１１ａ，１１ｂが略θ／２の平面視角度でもって斜めに互いに左右対称に形成されている。【選択図】      図１
2005146744.tif 000002
【特許請求の範囲】
【請求項１】
コーナー角度θの屋根のコーナー部において２つの軒樋をその切断面同士が当接した状
態で前記コーナー角度θと略同一の交差角度でもって互いに交差させて接続させるための
前記軒樋の切断に用いられる軒樋切断治具であって、
前記軒樋に外側から挟着するように、底壁と該底壁から起立する２つの側壁との内周面
が前記軒樋の外周面に沿って形成されるとともに、前記底壁と前記側壁との両端部外周縁
には前記軒樋の切断線に沿って切断具を案内するフランジ部が設けられ、
前記側壁のうちの一方の内面に対して、前記フランジ部の端面が略θ／２の平面視角度
でもって斜めに互いに左右対称に形成されていることを特徴とする軒樋切断治具。
【請求項２】
前記角度θ／２が略４５°であることを特徴とする請求項１に記載の軒樋切断治具。
【発明の詳細な説明】
【技術分野】
【０００１】
本発明は、軒樋を切断する際にその切断箇所をガイドする軒樋切断治具に関する。
【背景技術】
【０００２】
従来より、屋根に軒樋を設ける際に屋根のコーナー部で２つの軒樋を接続する構造とし
て、この屋根のコーナー部と略同一の角度に曲成されその両端にそれぞれ軒樋が取り付け
られるようになっている軒樋の曲がり継手を用いて、２つの軒樋を互いに交差するように
連結する構造が知られている（例えば、特許文献１参照）。
【０００３】
この特許文献１に記載の軒樋の曲成継手（曲がり継手）では、樋状体が曲成されて形成
された継手本体の外面に支持リブが突出形成されており、この支持リブの頂部から継手本
体に平行に外樋状体が形成されて、継手本体と外樋状体との間に軒樋挿入間隙が設けられ
ている。そして、この軒樋挿入間隙に軒樋が挿入固着されて２つの軒樋が接続されるよう
になっている。
【特許文献１】実開平１−８３８３３号公報
【発明の開示】
【発明が解決しようとする課題】
【０００４】
ところで、この軒樋の曲成継手では、軒樋と接続した際に曲成継手の外観が小さく見え
外観を良いものとするように、外樋状体の両外端面が継手本体の両端面より内方に位置す
るようになっているものの、外樋状体は軒樋の側壁の外側に露出する構造となっているた
め軒樋の曲成継手が外観上視認される。さらに、外樋状体の側面と軒樋の側面との間には
外樋状体の肉厚分だけ段差が生じるため、屋外に取り付けられることが通常である軒樋で
は日照方向によって生じる段差の影が軒樋の曲成継手と軒樋との継ぎ目部分をより目立た
せることとなる。これにより、軒樋の曲成継手によって軒樋が連結されていることが外見
から容易に視認され、著しく見栄えに劣る。
【０００５】
このような問題を解決するために、出願人は２つの軒樋の一端を、その切断面と側面と
のなす平面視角度が屋根のコーナー角度θの１／２、例えばコーナー角度θが略９０°と
すると略４５°となるようにそれぞれ切断し、その切断面同士を直接突き合わせて接着固
定するとともに、曲がり継手を軒樋の内側に装着することにより、略９０°の交差角度で
もって２つの軒樋が連結する構造を考案した。このような構造によると、曲がり継手が外
観に現れず、軒樋同士の継ぎ目部分も屋根のコーナー部にきてほとんど目立たないため、
軒樋が連結した際も軒樋の見栄えを損うことがない。
【０００６】
しかしながら、このような構造をとるためには、まず軒樋の一端を平面視４５°の角度
をもって斜めに切断する必要がある。このとき、美観や防水の観点からは軒樋の切断面同
士が隙間なく当接していることが望ましいが、軒樋の施工現場でこのような切断を容易か
つ精度よく行うことは非常に困難である。
【０００７】
本発明は、このような問題に鑑みてなされたもので、軒樋を一定の角度でもって斜めに
切断する際に容易かつ高精度な切断を可能とする軒樋切断治具を提供することを課題とし
ている。
【課題を解決するための手段】
【０００８】
このような課題を解決するために、請求項１に記載の発明は、コーナー角度θの屋根の
コーナー部において２つの軒樋をその切断面同士が当接した状態で前記コーナー角度θと
略同一の交差角度でもって互いに交差させて接続させるための前記軒樋の切断に用いられ
る軒樋切断治具であって、前記軒樋に外側から挟着するように、底壁と該底壁から起立す
る２つの側壁との内周面が前記軒樋の外周面に沿って形成されるとともに、前記底壁と前
記側壁との両端部外周縁には前記軒樋の切断線に沿って切断具を案内するフランジ部が設
けられ、前記側壁のうちの一方の内面に対して、前記フランジ部の端面が略θ／２の平面
視角度でもって斜めに互いに左右対称に形成されていることを特徴とする。
【０００９】
請求項２に記載の発明は、請求項１に記載の発明において、前記角度θ／２が略４５°
であることを特徴とする。
【発明の効果】
【００１０】
請求項１の発明によれば、側壁のうちの一方の内面に対して、フランジ部の端面が略θ
／２の平面視角度でもって斜めに互いに左右対称に形成されているので、軒樋切断具を軒
樋に挟着して位置合わせした後にフランジ部の端面に切断具の刃を沿わせて移動させるだ
けで、容易にかつ精度よく軒樋を側壁のうちの一方の内面に対して斜め略θ／２に切断す
ることができる。また、いずれのフランジ部を用いるかによって、軒樋を内面に対して左
右いずれの方向に斜めに切断するかを自在に選択でき、接続する２つの軒樋のいずれをも
軒樋切断具によって形成することが可能となり、実用性、利便性に優れる。
【００１１】
請求項２の発明によれば、請求項１の発明の効果を屋根のコーナー部が直角に形成され
ている場合において得ることができる。
【発明を実施するための最良の形態】
【００１２】
以下、図面を参照して本発明の実施の形態について説明する。  
図１及び図２は、本発明の実施の形態に係る軒樋切断治具を示す。この軒樋切断治具１は
、建物の屋根のコーナー部（図示略）において２つの軒樋をこのコーナー部に沿った状態
で連結させるために軒樋を切断する際に用いられるものであり、軒樋に外側から挟着して
、軒樋の切断箇所をガイドするためのものである。なお、屋根のコーナー部のコーナー角
度θについては、本実施の形態ではθ＝略９０°、すなわちコーナー部が直角に形成され
ているものとして説明する。
【００１３】
軒樋切断治具１は、平面視台形状の底壁２の前側部から前側壁３が起立するとともに、
後側部からは後側壁４が起立している。この底壁２、前側壁３及び後側壁４の内周面５は
軒樋６の外周面７に沿って形成されて、軒樋切断治具１が軒樋６に外側から挟着可能とな
っている。また、前側壁３及び後側壁４の上端縁部８は断面コ字形状に外側に向けて突出
形成され、内側がガイド溝９となっている。
【００１４】
軒樋切断治具１の長手方向両端部（底壁２、前側壁３及び後側壁４の両端部）の外周縁
には起立するフランジ部１０ａ，１０ｂがそれぞれ左右対称に設けられている。フランジ
部１０ａ，１０ｂの端面１１ａ，１１ｂは、前側壁３の内面１２に対して平面視斜めに形
成され、端面１１ａと前側壁３の内面１２とのなす平面視角度及び端面１１ｂと前側壁３
の内面１２とのなす平面視角度はともに略θ／２、すなわち略４５°となっている。
【００１５】
この軒樋切断治具１が挟着する軒樋６は、直線状に延びた底壁１３の前側部から前側壁
１４が起立するとともに、後側部からは後側壁１５が起立して内側に排水路となる溝１６
が形成されている。また、前側壁１４は外側に向けて若干膨出して形成されるとともに、
前側壁１４の上端縁部１７は断面略矩形状に屈曲されて内側に係止溝１８を形成している
。また、後側壁１５の上端縁部１９は外側に向けて屈曲されて断面矩形状に突出形成され
ている。
【００１６】
この軒樋６を軒樋切断治具１を用いて切断するには、まず軒樋６の外周面７に軒樋切断
治具１の内周面５を沿わせるように、軒樋６の一方の長手方向端部（図示略）から軒樋切
断治具１をスライドさせて、軒樋切断治具１が軒樋６を挟むようにする。そして、軒樋切
断治具１のフランジ部１０ａの端面１１ａが、軒樋６の所望の切断線上にくるまで軒樋切
断治具１をスライド移動させる。このとき、軒樋切断治具１のガイド溝９に軒樋６の前側
壁１４の上端縁部１７及び後側壁１５の上端縁部１９が入り込んで嵌合するため、軒樋切
断治具１がスライド中にぶれたりせずスムースにスライド移動が可能なようになっている
。
【００１７】
軒樋６の所望の切断線上までフランジ部１０ａの端面１１ａを移動させたら、そこで軒
樋切断治具１を固定して、フランジ部１０ａの端面１１ａにのこぎり等の切断具（図示略
）の刃を沿わせながら刃を移動させて軒樋６を切断する。このようにして切断した軒樋が
図３に示す軒樋２０ａである。このとき、軒樋２０ａのその切断面２１と前側壁１４の側
面２２とのなす平面視角度は、フランジ部１０ａの端面１１ａが前側壁３の内面１２とな
す平面視角度略θ／２と同角度、すなわち略４５°となっている。
【００１８】
一方、同様にして、フランジ部１０ｂの端面１１ｂに切断刃を沿わせながら切断した場
合は軒樋２０ｂとなる。このとき、軒樋２０ｂのその切断面２１と前側壁１４の側面２２
とのなす平面視角度は、フランジ部１０ｂの端面１１ｂが前側壁３の内面１２となす平面
視角度略θ／２と同角度、すなわち略４５°となっている。
【００１９】
図４に示すように、この軒樋２０ａと軒樋２０ｂとを、その切断面２１同士が当接する
ように、互いに交差する位置に配設し、切断面２１同士を接着固定する。これによって、
軒樋２０ａと軒樋２０ｂとの交差角度φは、略θ／２＋略θ／２（略４５°＋略４５°）
となり、コーナー角度θと略同一、すなわち略９０°となる。このようにして、軒樋２０
ａ，２０ｂが屋根のコーナー部に沿う状態で連結接続される。
【００２０】
なお、互いに当接した軒樋２０ａと軒樋２０ｂとの間に跨って軒樋２０ａ，２０ｂの内
側からその内周面２３に沿うように曲がり継手２４を軒樋２０ａ，２０ｂに嵌合させて装
着することにより（図４及び図５参照）、軒樋２０ａ，２０ｂの相互の位置ずれが防止さ
れる。
【００２１】
または、軒樋２０ａ，２０ｂのそれぞれを曲がり継手２４の両端２５から、軒樋２０ａ
，２０ｂの内周面２３を曲がり継手２４の外周面２６に沿わせてスライドさせ、切断面２
１同士が当接して突き合うまで進ませて、軒樋２０ａ，２０ｂを連結接続させてもよい。
【００２２】
この実施の形態に係る軒樋切断具１では、前側壁３の内面１２に対してフランジ部１０
ａ，１０ｂの端面１１ａ，１１ｂが略θ／２、すなわち略４５°の平面視角度でもって斜
めに形成されているので、軒樋切断具１を軒樋６に挟着して位置合わせした後に端面１１
ａ，１１ｂに切断具の刃を沿わせて移動させるだけで、容易にかつ精度よく軒樋６を前側
壁１４の側面２２に対して斜め略４５°（＝略θ／２）に切断することができる。
【００２３】
また、フランジ部１０ａ，１０ｂは左右対称に設けられているので、いずれのフランジ
部を用いるかによって、軒樋６を、その切断面２１が前側壁１４の側面２２に対して平面
視左斜め略４５°となるように切断し軒樋２０ａとするか、或いは平面視右斜め略４５°
となるように切断し軒樋２０ｂとするかを自在に選択でき、接続する２つの軒樋２０ａ，
２０ｂのいずれをも軒樋切断具１によって形成することが可能となり、実用性、利便性に
優れる。
【００２４】
なお、本発明は上述した実施の形態に限られるものではなく、例えば本実施の形態では
、屋根のコーナー部のコーナー角度θを略９０°として説明したが、必要に応じて適宜任
意の角度とすることができる。
【図面の簡単な説明】
【００２５】
【図１】本発明の実施の形態に係る軒樋切断治具を示し、上図は斜視図であり、下図は平面図である。
【図２】図１の軒樋切断治具が軒樋に挟着した状態を示す斜視図である。
【図３】図１の軒樋切断具を用いて切断された軒樋を示す斜視図である。
【図４】軒樋に曲がり継手が装着される前の状態を示す斜視図である。
【図５】軒樋に曲がり継手が装着された状態を示す斜視図である。
【符号の説明】
【００２６】
１                      軒樋切断治具
２                      底壁
３                      前側壁（側壁、側壁のうちの一方）
４                      後側壁（側壁）
５                      内周面
６、２０ａ、２０ｂ      軒樋
７                      外周面
１０ａ、１０ｂ            フランジ部
１１ａ、１１ｂ            端面
１２                      内面
２１                      切断面
【図１】
2005146744.tif 000003
【図２】
2005146744.tif 000004
【図３】
2005146744.tif 000005
【図４】
2005146744.tif 000006
【図５】
2005146744.tif 000007